【手続補正書】
【提出日】平成20年2月25日(2008.2.25)
【手続補正１】
【補正対象書類名】明細書
【補正対象項目名】特許請求の範囲
【補正方法】変更
【補正の内容】
【特許請求の範囲】
【請求項１】
物体側から順に、負の屈折力を有する第１レンズ群と、正の屈折力を有する第２レンズ群とを有し、
前記第１レンズ群と前記第２レンズ群との空気間隔を変化させることによって変倍を行うズームレンズにおいて、
前記第１レンズ群は、物体側から順に、負レンズと、正レンズＬ１ｐとを少なくとも有し、
前記第２レンズ群は、物体側から順に、
正レンズと、正レンズＬａｐと負レンズＬａｎとの接合よりなる接合レンズとを有し正の屈折力を有する前方レンズ群Ｇ2-1と、
負レンズＬｂｎと正レンズＬｂｐとの接合よりなる接合レンズを有し正の屈折力を有する後方レンズ群Ｇ2-2とを有し、
以下の条件式を満足することを特徴とするズームレンズ。
（１）０．２７≦Ｄｓ／Ｄ≦０．８
ただし、
Ｄｓ：前記前方レンズ群Ｇ2-1中の最も像側のレンズ面から前記後方レンズ群Ｇ2-2中の最も物体側のレンズ面までの光軸上の空気間隔，
Ｄ  ：前記第２レンズ群中の最も物体側のレンズ面から最も像側のレンズ面までの光軸上の距離．
【請求項２】
以下の条件式を満足することを特徴とする請求項１に記載のズームレンズ。
（２）０．５≦ｆｂ／ｆａ≦１５
ただし、
ｆａ：前記前方レンズ群Ｇ2-1の焦点距離，
ｆｂ：前記後方レンズ群Ｇ2-2の焦点距離．
【請求項３】
以下の条件式を満足することを特徴とする請求項１または請求項２に記載のズームレンズ。
（３）０＜ｎａｎ−ｎａｐ＜０．４５
ただし、
ｎａｐ：前記前方レンズ群Ｇ2-1における前記接合レンズ中の前記正レンズＬａｐのｄ線に対する媒質の屈折率，
ｎａｎ：前記前方レンズ群Ｇ2-1における前記接合レンズ中の前記負レンズＬａｎのｄ線に対する媒質の屈折率．
【請求項４】
以下の条件式を満足することを特徴とする請求項１から請求項３のいずれか１項に記載のズームレンズ。
（４）０＜ｎｂｎ−ｎｂｐ＜０．４５
ただし、
ｎｂｎ：前記後方レンズ群Ｇ2-2における前記接合レンズ中の前記負レンズＬｂｎのｄ線に対する媒質の屈折率，
ｎｂｐ：前記後方レンズ群Ｇ2-2における前記接合レンズ中の前記正レンズＬｂｐのｄ線に対する媒質の屈折率．
【請求項５】
前記前方レンズ群Ｇ2-1と前記後方レンズ群Ｇ2-2との間に、Ｆ値を決定する開口絞りを有することを特徴とする請求項１から請求項４のいずれか１項に記載のズームレンズ。
【請求項６】
以下の条件式を満足することを特徴とする請求項１から請求項４のいずれか１項に記載のズームレンズ。
（５）ν１ｐ＜２３．２
ただし、
ν１ｐ：前記第１レンズ群における前記正レンズＬ１ｐの媒質のアッべ数．
【請求項７】
以下の条件式を満足することを特徴とする請求項１から請求項６のいずれか１項に記載のズームレンズ。
（６）１．７９０＜ｎ１ｐ
ｎ１ｐ：前記第１レンズ群における前記正レンズＬ１ｐのｄ線に対する媒質の屈折率．
【請求項８】
前記第１レンズ群は、物体側から順に、前記負レンズと、前記正レンズＬ１ｐとから構成されており、
前記正レンズＬ１ｐは、物体側に凸面を向けた正レンズであることを特徴とする請求項１から請求項７のいずれか１項に記載のズームレンズ。
【請求項９】
物体側から順に、負の屈折力を有する第１レンズ群と、正の屈折力を有する第２レンズ群とを有し、
前記第１レンズ群と前記第２レンズ群との空気間隔を変化させることによって変倍を行うズームレンズにおいて、
前記第１レンズ群は、物体側から順に、負レンズと、物体側に凸面を向けた正レンズＬ１ｐとから構成されており、
前記第２レンズ群は、物体側から順に、正レンズと、正レンズと負レンズとの接合よりなる第１接合レンズと、開口絞りと、負レンズと正レンズとの接合よりなる第２接合レンズとを有することを特徴とするズームレンズ。
【請求項１０】
前記第１レンズ群は、非球面を有することを特徴とする請求項１から請求項９のいずれか１項に記載のズームレンズ。
【手続補正２】
【補正対象書類名】明細書
【補正対象項目名】００１４
【補正方法】変更
【補正の内容】
【００１４】
また、本発明は、
物体側から順に、負の屈折力を有する第１レンズ群と、正の屈折力を有する第２レンズ群とを有し、
前記第１レンズ群と前記第２レンズ群との空気間隔を変化させることによって変倍を行うズームレンズにおいて、
前記第１レンズ群は、物体側から順に、負レンズと、物体側に凸面を向けた正レンズＬ１ｐとから構成されており、
前記第２レンズ群は、物体側から順に、正レンズと、正（凸）レンズと負（凹）レンズとの接合よりなる第１接合レンズと、開口絞りと、負（凹）レンズと正（凸）レンズとの接合よりなる第２接合レンズとを有することを特徴とするズームレンズを提供する。
また、本発明の好ましい態様によれば、
前記第１レンズ群は、非球面を有することが望ましい。
【手続補正３】
【補正対象書類名】明細書
【補正対象項目名】００１６
【補正方法】変更
【補正の内容】
【００１６】
そこで本発明は、負・正２群構成のズームレンズにおける第２レンズ群について新たなレンズタイプを創造した。本発明のズームレンズにおける第２レンズ群は、基本的にガウスタイプの構造を出発点として、後述する各実施例のように、物体側から順に、正レンズと、正レンズと負レンズとの接合レンズとで構成される前方レンズ群Ｇ2-1と、負レンズと正レンズとの接合レンズで構成される後方レンズ群Ｇ2-2とから構成されている。または、第２レンズ群は、物体側から順に、正レンズと、正レンズと負レンズとの接合レンズとで構成される前方レンズ群Ｇ2-1と、負レンズと正レンズとの接合レンズと、正レンズとで構成される後方レンズ群Ｇ2-2とから構成されている。
【手続補正４】
【補正対象書類名】明細書
【補正対象項目名】００３０
【補正方法】変更
【補正の内容】
【００３０】
第２レンズ群Ｇ２は、物体側から順に、前方レンズ群Ｇ2-1と、開口絞りＳと、後方レンズ群Ｇ2-2と、固定絞りＦＳとを有する。
前方レンズ群Ｇ2-1は、物体側から順に、両凸形状の正レンズＬａと、両凸形状の正レンズＬａｐと両凹形状の負レンズＬａｎとの接合よりなる接合負レンズとを有する。
後方レンズ群Ｇ2-2は、物体側から順に、物体側に凸面を向けた負メニスカスレンズＬｂｎと両凸形状の正レンズＬｂｐとの接合よりなる接合正レンズを有する。
【手続補正５】
【補正対象書類名】明細書
【補正対象項目名】００３１
【補正方法】変更
【補正の内容】
【００３１】
本実施例に係るズームレンズにおいて、変倍は広角端状態（Ｗ）から望遠端状態（Ｔ）へレンズ位置状態が変化する際に、第１レンズ群Ｇ１と第２レンズ群Ｇ２との空気間隔が縮小するように、第１レンズ群Ｇ１と第２レンズ群Ｇ２を移動させることによって行われる。
また本実施例に係るズームレンズにおいて、近距離合焦は第１レンズ群Ｇ１を物体側に移動することによって行われる。
【手続補正６】
【補正対象書類名】明細書
【補正対象項目名】００４２
【補正方法】変更
【補正の内容】
【００４２】
第２レンズ群Ｇ２は、物体側から順に、前方レンズ群Ｇ2-1と、開口絞りＳと、後方レンズ群Ｇ2-2と、固定絞りＦＳとを有する。
前方レンズ群Ｇ2-1は、物体側から順に、両凸形状の正レンズＬａと、両凸形状の正レンズＬａｐと両凹形状の負レンズＬａｎとの接合よりなる接合負レンズとを有する。
後方レンズ群Ｇ2-2は、物体側から順に、物体側に凸面を向けた負メニスカスレンズＬｂｎと両凸形状の正レンズＬｂｐとの接合よりなる接合正レンズを有する。
【手続補正７】
【補正対象書類名】明細書
【補正対象項目名】００４３
【補正方法】変更
【補正の内容】
【００４３】
本実施例に係るズームレンズにおいて、変倍は広角端状態（Ｗ）から望遠端状態（Ｔ）へレンズ位置状態が変化する際に、第１レンズ群Ｇ１と第２レンズ群Ｇ２との空気間隔が縮小するように、第１レンズ群Ｇ１と第２レンズ群Ｇ２を移動させることによって行なわれる。
また本実施例に係るズームレンズにおいて、近距離合焦は第１レンズ群Ｇ１を物体側に移動することによって行なわれる。
以下の表２に、本発明の実施例２に係るズームレンズの諸元の値を掲げる。
【手続補正８】
【補正対象書類名】明細書
【補正対象項目名】００４８
【補正方法】変更
【補正の内容】
【００４８】
第２レンズ群Ｇ２は、物体側から順に、前方レンズ群Ｇ2-1と、開口絞りＳと、後方レンズ群Ｇ2-2と、フレアーストッパーＦとを有する。
前方レンズ群Ｇ2-1は、物体側から順に、両凸形状の正レンズＬａと、両凸形状の正レンズＬａｐと両凹形状の負レンズＬａｎとの接合よりなる接合負レンズとを有する。
後方レンズ群Ｇ2-2は、物体側から順に、両凹形状の負レンズＬｂｎと両凸形状の正レンズＬｂｐとの接合よりなる接合負レンズと、両凸形状の正レンズＬｂとを有する。
【手続補正９】
【補正対象書類名】明細書
【補正対象項目名】００４９
【補正方法】変更
【補正の内容】
【００４９】
本実施例に係るズームレンズにおいて、変倍は広角端状態（Ｗ）から望遠端状態（Ｔ）へレンズ位置状態が変化する際に、第１レンズ群Ｇ１と第２レンズ群Ｇ２との空気間隔が縮小するように、第１レンズ群Ｇ１と第２レンズ群Ｇ２を移動させることによって行なわれる。
また本実施例に係るズームレンズにおいて、近距離合焦は第１レンズ群Ｇ１を物体側に移動することによって行なわれる。
上述のフレアーストッパーＦは、固定径を有しており、変倍時に第２レンズ群Ｇ２とは異なる移動軌跡で独立移動するものである。
以下の表３に、本発明の実施例３に係るズームレンズの諸元の値を掲げる。
【手続補正１０】
【補正対象書類名】図面
【補正対象項目名】図９
【補正方法】変更
【補正の内容】
【図９】
2004226850.tif 000001